(57)【要約】【課題】簡素な構成で、画像表示手段を作業者の作業位置に応じた最適に配置し、前記放射線画像を確実に確認する。【解決手段】放射線検出カセッテ２４は、放射線Ｘを透過させる材料からなるケーシング３６を備え、前記ケーシング３６を構成する４つの壁部４０ａ〜４０ｄには、ディスプレイユニット３０が接続可能な接続ポート５６ａ〜５６ｄがそれぞれ設けられる。そして、接続ポート５６ａ〜５６ｄのいずれか１つに対して、放射線画像を表示可能なディスプレイ１０２を有するディスプレイユニット３０を選択的に接続し、前記ディスプレイ１０２に表示される前記放射線画像を確認しながら手術を遂行する。【選択図】図３
2009025696.tif 000002
【特許請求の範囲】
【請求項１】
放射線源から照射され被写体を透過した放射線を検出し、放射線画像情報へと変換可能な放射線変換パネルが収容された筐体と、
前記筐体における少なくとも２側面以上に設けられ、放射線画像を表示可能な画像表示手段が着脱自在に接続される接続部と、
を備えることを特徴とするカセッテ。
【請求項２】
請求項１記載のカセッテにおいて、
前記接続部は、前記筐体が前記被写体と該被写体が臥位する臥台との間に設置された際に、前記被写体及び臥台に対峙しない前記筐体の側面に設けられることを特徴とするカセッテ。
【請求項３】
請求項１又は２記載のカセッテにおいて、
前記接続部は、前記筐体の各側面に少なくとも１つ以上設けられることを特徴とするカセッテ。
【発明の詳細な説明】
【技術分野】
【０００１】
本発明は、被写体を透過した放射線を放射線画像情報に変換する放射線変換パネルを収容するカセッテに関する。
【背景技術】
【０００２】
医療分野において、被写体に放射線を照射し、被写体を透過した放射線を放射線変換パネルに導いて放射線画像を撮影する放射線画像撮影装置が広汎に使用されている。この場合、放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００３】
このような放射線画像撮影装置は、被験者と該被験者が臥位した載置台との間にＸ線撮影装置が配置され、Ｘ線管球から照射されたＸ線が前記被験者を透過して前記Ｘ線撮影装置のＸ線検出手段に至る。また、Ｘ線撮影装置の筐体には、撮影された放射線画像が表示される表示部を備え、前記表示部を複数のアームによって自在に可動させ、術者が前記表示部で前記放射線画像を確認を行う（例えば、特許文献１参照）。
【０００４】
【特許文献１】特開２００４−９７６３５号公報
【発明の開示】
【発明が解決しようとする課題】
【０００５】
ところで、このような従来技術においては、Ｘ線画像撮影装置を構成する筐体の側面に表示部がアームを介して接続される構成としているが、前記筐体に対する前記アームの接続位置が決まっているため、例えば、被験者の患部に合わせてＸ線画像撮影装置の向きを変更した場合には、前記表示部の位置も変わってしまうため、前記術者が前記表示部で放射線画像を確認することが困難となる。
【０００６】
また、表示部は、複数のアームを互いに可動させることにより所望の向きを変更自在に設けられているが、例えば、２本のアームで変更可能な表示部の向きは限定され、前記アームを介して表示部を所望の向きに変更することが困難な場合がある。一方、表示部の視認性を高めるために、上述したアームの数量を増やして前記表示部の向きをさらに広範囲に変更可能な構成とすることが考えられるが、前記アームを含む表示部の構造が複雑になるという問題がある。
【０００７】
本発明は、前記の課題を考慮してなされたものであり、簡素な構成で、画像表示手段を作業者の作業位置に応じて最適な配置とし、前記放射線画像を確実に確認することが可能なカセッテを提供することを目的とする。
【課題を解決するための手段】
【０００８】
前記の目的を達成するために、本発明は、放射線源から照射され被写体を透過した放射線を検出し、放射線画像情報へと変換可能な放射線変換パネルが収容された筐体と、
前記筐体における少なくとも２側面以上に設けられ、放射線画像を表示可能な画像表示手段が着脱自在に接続される接続部と、
を備えることを特徴とする。
【発明の効果】
【０００９】
本発明によれば、放射線変換パネルの収容された筐体には、少なくとも２側面以上に接続部が設けられ、前記放射線変換パネルによって変換された放射線画像情報を表示可能な画像表示手段を前記接続部に対して着脱自在に接続している。従って、被写体に応じて筐体の向きを変更して用いる場合でも、画像表示手段を、前記筐体の２側面以上にそれぞれ設けられた接続部に対して選択的に接続することができる。その結果、カセッテを構成する筐体に対して作業者が作業位置等に応じて画像表示手段を確認しやすい最適な位置に接続することができ、前記放射線画像を確実に確認することが可能となり、それに伴って、前記放射線画像を見ながら好適に施術を行うことができる。
【発明を実施するための最良の形態】
【００１０】
図１は、本実施の形態に係るカセッテを含む放射線画像撮影システム１０が設置された手術室１２の説明図である。手術室１２には、放射線画像撮影システム１０に加えて、患者１４が横臥する手術台（臥台）１６が配置されると共に、医師１８が手術に使用する各種器具が載置される器具台２０が手術台１６の側部に配置される。また、手術台１６には、麻酔器、吸引器、心電計、血圧計等、手術に必要な様々な機器が配置される。
【００１１】
放射線画像撮影システム１０は、撮影条件に従った線量からなる放射線Ｘを患者１４に照射する撮影装置２２と、患者１４を透過した放射線Ｘを検出する放射線検出器（放射線変換パネル）４６（後述する）を内蔵した放射線検出カセッテ（カセッテ）２４と、放射線検出器４６によって検出された放射線Ｘに基づく放射線画像を表示する表示装置２６と、前記撮影装置２２、放射線検出カセッテ２４及び表示装置２６を制御するコンソール２８と、前記放射線検出カセッテ２４に対して着脱自在に設けられ、前記表示装置２６と同様に放射線画像を表示可能なディスプレイユニット（画像表示手段）３０とを備える。この撮影装置２２、放射線検出カセッテ２４、表示装置２６及びコンソール２８間では、無線通信による信号の送受信が行われる。
【００１２】
撮影装置２２は、複数の自在アーム３２によって移動自在に設けられ、患者１４の撮影部位に応じた所望の位置に移動可能であると共に、医師１８による手術の邪魔とならない位置に待避可能である。同様に、表示装置２６は、自在アーム３４に連結され、撮影された放射線画像を医師１８が容易に確認できる位置に移動可能である。
【００１３】
図２及び図３は、放射線検出カセッテ２４の内部構成図である。放射線検出カセッテ２４は、放射線Ｘを透過させる材料からなるケーシング（筐体）３６を備える。ケーシング３６は、略長方形状で所定間隔離間した一組の平板部３８ａ、３８ｂと、前記平板部３８ａ、３８ｂ同士を接続し、その四方を取り囲むように略直交した４つの壁部（側面）４０ａ〜４０ｄとから構成され、中空状となる放射線検出カセッテ２４の内部には、放射線Ｘが照射されるケーシング３６の照射面４２側から、患者１４による放射線Ｘの散乱線を除去するグリッド４４、患者１４を透過した放射線Ｘを検出する放射線検出器４６、及び、放射線Ｘのバック散乱線を吸収する鉛板４８が順に配設される。なお、ケーシング３６の照射面４２をグリッド４４として構成してもよい。
【００１４】
また、ケーシング３６の内部には、放射線検出カセッテ２４の電源であるバッテリ５０と、前記バッテリ５０から供給される電力により放射線検出器４６を駆動制御するカセッテ制御部５２と、前記放射線検出器４６によって検出した放射線Ｘの情報を含む信号をコンソール２８との間で送受信する送受信機５４と、ディスプレイユニット３０の接続される複数の接続ポート（接続部）５６ａ〜５６ｄが収容される。
【００１５】
なお、カセッテ制御部５２、送受信機５４及び接続ポート５６ａ〜５６ｄには、放射線Ｘが照射されることによる損傷を回避するため、ケーシング３６の照射面４２側に鉛板等を配設しておくことが好ましい。
【００１６】
図４は、放射線検出器４６の回路構成ブロック図である。放射線検出器４６は、二次元状に配列された多数の光電変換素子５８を有する。この場合、各光電変換素子５８は、放射線Ｘが照射されることによりキャリアを生成する放射線感応型の物質、例えば、アモルファスセレン（ａ−Ｓｅ）によって構成することができる。なお、アモルファスセレンは、高温になると構造が変化して機能が低下してしまうため、所定の温度範囲内で使用する必要がある。従って、放射線検出カセッテ２４内に放射線検出器４６を冷却する手段を配設することが好ましい。
【００１７】
各光電変換素子５８には、ＴＦＴからなる転送部６０を介して、ゲート線６２及び信号線６４が接続される。ゲート線６２には、一方向に配列された光電変換素子５８に接続された転送部６０をオンオフ制御する制御信号Ｖｏｎ、Ｖｏｆｆがライン走査駆動部６６から供給される。この場合、ライン走査駆動部６６は、ゲート線６２を切り替える複数のスイッチＳＷ１と、スイッチＳＷ１の１つを選択する選択信号を出力するアドレスデコーダ６８とを備える。アドレスデコーダ６８には、カセッテ制御部５２からアドレス信号が供給される。
【００１８】
また、信号線６４には、前記一方向と直交する他方向に配列された光電変換素子５８に接続された転送部６０を介して放射線画像情報に係る信号を増幅する増幅器７０が接続される。増幅器７０には、サンプルホールド回路７２を介してマルチプレクサ７４が接続される。マルチプレクサ７４は、信号線６４を切り替える複数のスイッチＳＷ２と、スイッチＳＷ２の１つを選択する選択信号を出力するアドレスデコーダ７６とを備える。アドレスデコーダ７６には、カセッテ制御部５２からアドレス信号が供給される。マルチプレクサ７４には、Ａ／Ｄ変換器７８が接続され、Ａ／Ｄ変換器７８によってデジタル信号に変換された放射線画像情報がカセッテ制御部５２に供給される。
【００１９】
図５は、撮影装置２２、放射線検出カセッテ２４、表示装置２６及びコンソール２８からなる放射線画像撮影システム１０の構成ブロック図である。
【００２０】
撮影装置２２は、撮影スイッチ８０と、放射線Ｘを出力する放射線源８２と、コンソール２８から無線通信により撮影条件を受信する一方、コンソール２８に対して無線通信による撮影完了信号等を送信する送受信機８４と、撮影スイッチ８０から供給される撮影開始信号及び送受信機８４から供給される撮影条件に基づいて放射線源８２を制御する線源制御部８６とを備える。
【００２１】
放射線検出カセッテ２４には、放射線検出器４６、バッテリ５０、カセッテ制御部５２、送受信機５４及び複数の接続ポート５６ａ〜５６ｄが収容される。
【００２２】
カセッテ制御部５２は、放射線検出器４６を構成するライン走査駆動部６６のアドレスデコーダ６８及びマルチプレクサ７４のアドレスデコーダ７６に対してアドレス信号を供給するアドレス信号発生部８８と、放射線検出器４６によって検出された放射線画像情報を記憶する画像メモリ９０と、該放射線検出カセッテ２４を特定するためのカセッテＩＤ情報を記憶するカセッテＩＤメモリ９２とを備える。
【００２３】
送受信機５４は、コンソール２８から無線通信により送信要求信号を受信する一方、前記コンソール２８に対して、カセッテＩＤメモリ９２に記憶されたカセッテＩＤ情報、画像メモリ９０に記憶された放射線画像情報を無線通信により送信する。
【００２４】
表示装置２６は、コンソール２８から放射線画像情報を受信する受信機９４と、受信した放射線画像情報の表示制御を行う表示制御部９６と、表示制御部９６によって処理された放射線画像情報を表示する表示部９８とを備える。
【００２５】
接続ポート５６ａ〜５６ｄは、例えば、ＵＳＢ端子が接続可能なＵＳＢポートからなり、ケーシング３６の各壁部４０ａ〜４０ｄに開口した孔部にそれぞれ設けられる。また、接続ポート５６ａ〜５６ｄは、ケーシング３６の外部に臨むと共に、前記ケーシング３６の外部からディスプレイユニット３０の端子部１０６（後述する）が接続自在に設けられる。すなわち、接続ポート５６ａ〜５６ｄは、ケーシング３６に対して４箇所設けられる（図２及び図７参照）。
【００２６】
このように、接続ポート５６ａ〜５６ｄは、放射線検出カセッテ２４において、患者１４及び手術台１６に対峙する平板部３８ａ、３８ｂには設けられず、前記患者１４及び手術台１６に対して略直交するように配置された壁部４０ａ〜４０ｄのみに設けられる。このような配置とすることにより、接続ポート５６ａ〜５６ｄにディスプレイユニット３０を接続する際に、前記患者１４及び手術台１６が支障となることがない。
【００２７】
また、接続ポート５６ａ〜５６ｄには、該接続ポート５６ａ〜５６ｄが使用されない場合に閉塞するカバーキャップ１００が設けられ、前記カバーキャップ１００を装着することにより、前記接続ポート５６ａ〜５６ｄ内への塵埃等の進入を阻止できる。
【００２８】
ディスプレイユニット３０は、図６及び図７に示されるように、放射線検出器４６に撮影された放射線画像を表示可能なディスプレイ１０２と、前記ディスプレイ１０２を可動自在に支持する可動アーム１０４と、ケーシング３６の接続ポート５６ａ〜５６ｄに接続可能な端子部１０６を有する接続ベース１０８と、前記接続ベース１０８体に対して前記可動アーム１０４を傾動及び回動自在に支持するヒンジ部１１０と、前記端子部１０６を通じて入力された放射線画像情報の表示制御を行う表示制御部１１２とを含む。
【００２９】
接続ベース１０８は、断面略Ｌ字状に形成され、その一端部に端子部１０６が突出して設けられる。この端子部１０６は、例えば、ＵＳＢ端子からなり、ＵＳＢポートからなる接続ポート５６ａ〜５６ｄに対して接続自在に設けられる。
【００３０】
また、接続ベース１０８の他端部は、端子部１０６が放射線検出カセッテ２４の接続ポート５６ａ〜５６ｄに接続された状態で上方に向かって延在し、その端部にはヒンジ部１１０が設けられ、可動アーム１０４を前記他端部に対して所定角度だけ傾動自在に支持すると共に、水平方向に回動自在に支持している。
【００３１】
可動アーム１０４の一端部には、ヒンジ部１１０が接続されると共に、該可動アーム１０４の他端部には、可動ジョイント１１４を介してディスプレイ１０２が接続されている。このディスプレイ１０２は、可動ジョイント１１４によって可動アーム１０４の他端部に対して傾動自在に設けられる。
【００３２】
表示制御部１１２は、端子部１０６が放射線検出カセッテ２４の接続ポート５６ａ〜５６ｄに対して接続されることにより、画像メモリ９０に記憶された放射線画像情報が前記表示制御部１１２へと出力され、該表示制御部１１２を介してディスプレイ１０２に表示される。
【００３３】
コンソール２８は、撮影装置２２、放射線検出カセッテ２４及び表示装置２６に対して、放射線画像情報、位置情報等を含む必要な情報を無線通信により送受信する送受信機１１６と、撮影装置２２による撮影に必要な撮影条件を管理する撮影条件管理部１１８と、放射線検出カセッテ２４から送信された放射線画像情報に対する画像処理を行う画像処理部１２０と、処理した放射線画像情報を記憶する画像メモリ１２２と、撮影対象である患者１４の患者情報を管理する患者情報管理部１２４と、放射線検出カセッテ２４から送信されたカセッテ情報を管理するカセッテ情報管理部１２６とを備える。なお、コンソール２８は、撮影装置２２、放射線検出カセッテ２４及び表示装置２６に対して無線通信による信号の送受信を行うことができるのであれば、手術室１２の外に設置してもよい。
【００３４】
本実施の形態の放射線検出カセッテ２４が用いられた放射線画像撮影システム１０は、基本的には以上のように構成されるものであり、次にその動作について説明する。
【００３５】
放射線画像撮影システム１０は、手術室１２に設置されており、例えば、医師１８による患者１４の手術中において、放射線画像の撮影が必要となった際に使用される。そのため、撮影対象である患者１４の患者情報は、撮影に先立ち、コンソール２８の患者情報管理部１２４に予め登録される。また、撮影部位や撮影方法が予め決まっている場合には、これらの撮影条件を撮影条件管理部１１８に予め登録しておく。以上の準備作業が終了した状態において、患者１４に対する手術が遂行される。
【００３６】
手術中において放射線画像の撮影を行う場合、医師１８又は担当する放射線技師は、患者１４と手術台１６との間の所定位置に、照射面４２を撮影装置２２側とした状態で放射線検出カセッテ２４を設置する。この際、放射線検出カセッテ２４は、その接続ポート５６ａ〜５６ｄに対してディスプレイユニット３０の接続されていない非接続状態にあるため、該ディスプレイユニット３０を前記放射線検出カセッテ２４に設置する際の支障となることがない。
【００３７】
そして、医師１８に対して手前側（矢印Ａ方向）となる放射線検出カセッテ２４の壁部４０ａに設けられた接続ポート５６ａにディスプレイユニット３０を接続し、そのディスプレイ１０２を可動ジョイント１１４、可動アーム１０４等を介して前記医師１８が確認し易い角度に調整する。この場合、接続ポート５６ａは、患者１４及び手術台１６に対峙することなく、前記手術台１６の側方に向かって露呈するように配置されているため、その接続作業を容易に行うことができる。なお、ディスプレイユニット３０の接続された接続ポート５６ａ以外の接続ポート５６ｂ〜５６ｄには、カバーキャップ１００がそれぞれ装着されて閉塞されている。
【００３８】
手術中において放射線画像の撮影を行う場合、医師１８又は担当する放射線技師は、患者１４と手術台１６との間の所定位置に、照射面４２を撮影装置２２側とした状態で放射線検出カセッテ２４を設置する。次いで、撮影装置２２を放射線検出カセッテ２４に対向する位置に移動させた後、撮影スイッチ８０を操作して撮影を行う。
【００３９】
撮影装置２２の線源制御部８６は、送受信機８４、１１６を介して、コンソール２８の撮影条件管理部１１８より患者１４の撮影部位に係る撮影条件を無線通信により取得し、取得した撮影条件に従って放射線源８２を制御することにより、所定の線量からなる放射線Ｘを患者１４に照射する。
【００４０】
患者１４を透過した放射線Ｘは、放射線検出カセッテ２４のグリッド４４によって散乱線が除去された後、放射線検出器４６に照射され、放射線検出器４６を構成する各光電変換素子５８により検出される（図３参照）。各光電変換素子５８によって検出された患者１４の放射線画像情報は、カセッテ制御部５２を構成するアドレス信号発生部８８からライン走査駆動部６６及びマルチプレクサ７４に供給されるアドレス信号に従って読み出される。
【００４１】
すなわち、ライン走査駆動部６６のアドレスデコーダ６８は、アドレス信号発生部８８から供給されるアドレス信号に従って選択信号を出力してスイッチＳＷ１の１つを選択し、対応するゲート線６２に接続された転送部６０のゲートに制御信号Ｖｏｎを供給する。一方、マルチプレクサ７４のアドレスデコーダ７６は、アドレス信号発生部８８から供給されるアドレス信号に従って選択信号を出力してスイッチＳＷ２を順次切り替え、ライン走査駆動部６６によって選択されたゲート線６２に接続された各光電変換素子５８に蓄積された放射線画像情報を信号線６４を介して読み出す。
【００４２】
各放射線検出器４６の選択されたゲート線６２に接続された光電変換素子５８から読み出された放射線画像情報は、増幅器７０によって増幅された後、サンプルホールド回路７２によってサンプリングされ、マルチプレクサ７４を介してＡ／Ｄ変換器７８に供給され、デジタル信号に変換される。デジタル信号に変換された放射線画像情報は、カセッテ制御部５２の画像メモリ９０に一旦記憶された後、接続ポート５６ａから表示制御部９６を通じてディスプレイ１０２へと出力される。この放射線画像情報は、表示制御部９６によって制御されたディスプレイ１０２に表示され、医師１８は、前記ディスプレイ１０２に表示された前記放射線画像を確認しながら手術を遂行する。
【００４３】
一方、カセッテ制御部５２の画像メモリ９０に記憶された放射線画像情報は、前記ディスプレイ１０２に表示されると共に、送受信機５４を介して無線通信によりコンソール２８に送信される。
【００４４】
コンソール２８に送信された放射線画像情報は、送受信機１１６によって受信され、画像処理部１２０において所定の画像処理が施された後、患者情報管理部１２４に登録されている患者１４の患者情報と関連付けられた状態で画像メモリ１２２に記憶される。
【００４５】
また、画像処理の施された放射線画像情報は、送受信機１１６から表示装置２６に送信される。受信機９４によって放射線画像情報を受信した表示装置２６は、表示制御部９６によって表示部９８を制御し、放射線画像を表示する。医師１８は、放射線検出カセッテ２４に接続されたディスプレイ１０２に表示される放射線画像と共に、表示部９８に表示される放射線画像を確認しながら手術を遂行する。
【００４６】
この場合、放射線検出カセッテ２４とコンソール２８との間、撮影装置２２とコンソール２８との間、及び、コンソール２８と表示装置２６との間には、信号を送受信するためのケーブルが連結されていないため、例えば、手術室１２の床面にこれらのケーブルが配設されることがなく、医師１８等の作業に支障を来すおそれがない。
【００４７】
最後に、放射線画像の撮影及び手術が完了した後、ディスプレイユニット３０を放射線検出カセッテ２４の接続ポート５６ａから離脱させる。
【００４８】
以上のように、本実施の形態では、放射線検出器４６の収容された放射線検出カセッテ２４のケーシング３６には、４つの壁部４０ａ〜４０ｄにそれぞれ接続ポート５６ａ〜５６ｄが設けられ、前記接続ポート５６ａ〜５６ｄのいずれか１つに放射線画像を表示可能なディスプレイ１０２を有するディスプレイユニット３０が着脱自在に接続される。従って、患者１４に応じて放射線検出カセッテ２４の向きを変更して用いる場合でも、ディスプレイユニット３０を、医師１８等から確認しやすい位置となるように接続ポート５６ａ〜５６ｄのうちのいずれか１つに対して選択的に接続することができる。その結果、放射線検出カセッテ２４を構成するケーシング３６に対して医師１８や放射線技師等の作業位置に応じて前記ディスプレイユニット３０を確認しやすい最適な位置に接続することができ、それに伴って、前記ディスプレイユニット３０において放射線画像を確実に確認することが可能となる。
【００４９】
また、接続ポート５６ａ〜５６ｄは、患者１４及び手術台１６に対峙することがないケーシング３６の壁部４０ａ〜４０ｄに設けられているため、前記ディスプレイユニット３０を接続する際の作業性が良好であり、且つ、接続されたディスプレイユニット３０が前記患者１４及び手術台１６に対して接触することがなく好適である。
【００５０】
一方、上述した説明では、ディスプレイユニット３０を、医師１８側となる放射線検出カセッテ２４の接続ポート５６ａに接続する場合について説明したが、これに限定されるものではなく、前記放射線検出カセッテ２４の設置状態、患者１４の患部位置等の関係に応じて、前記医師１８や放射線技師等がディスプレイ１０２が最も確認しやすい位置となるように複数の接続ポート５６ａ〜５６ｄから選択してディスプレイユニット３０を接続するようにすればよい。
【００５１】
また、接続ポート５６ａ〜５６ｄは、ケーシング３６の各壁部４０ａ〜４０ｄに対してそれぞれ１個ずつ設けられる場合に限定されるものではなく、前記各壁部４０ａ〜４０ｄに対して２個以上設けるようにしてもよい。この場合、さらにディスプレイユニット３０を放射線検出カセッテ２４における所望の位置に接続することが可能となり、医師１８等がディスプレイ１０２をより好適に確認することができる。
【００５２】
なお、本発明は、上述した実施形態に限定されるものではなく、本発明の主旨を逸脱しない範囲で自由に変更できることは勿論である。
【図面の簡単な説明】
【００５３】
【図１】本実施の形態に係るカセッテが用いられた放射線画像撮影システムの設置された手術室の説明図である。
【図２】放射線検出カセッテの一部切欠外観斜視図である。
【図３】図２に示す放射線検出カセッテの分解斜視図である。
【図４】放射線検出器の回路構成ブロック図である。
【図５】放射線画像撮影システムの構成ブロック図である。
【図６】図２に示す放射線検出カセッテの側面図である。
【図７】図２に示す放射線検出カセッテの平面図である。
【符号の説明】
【００５４】
１０…放射線画像撮影システム        １２…手術室
１４…患者                          １６…手術台
１８…医師                          ２２…撮影装置
２４…放射線検出カセッテ            ２６…表示装置
２８…コンソール                    ３０…ディスプレイユニット
３６…ケーシング                    ４０ａ〜４０ｄ…壁部
４６…放射線検出器                  ５２…カセッテ制御部
５４、８４、１１４…送受信機        ５６ａ〜５６ｄ…接続ポート
９８…表示部                        １００…カバーキャップ
１０２…ディスプレイ                １０４…可動アーム
１０６…端子部                      １０８…接続ベース
【図１】
2009025696.tif 000003
【図２】
2009025696.tif 000004
【図３】
2009025696.tif 000005
【図４】
2009025696.tif 000006
【図５】
2009025696.tif 000007
【図６】
2009025696.tif 000008
【図７】
2009025696.tif 000009